(57)【要約】      （修正有）【課題】鼻緒端部を台に確実に固定しながらも、鼻緒の長さ調整を容易に行える履物を提供する。【解決手段】台２の底に形成された凹部２０と、凹部の底２０ａに開口されて台を上下に貫通する貫通孔７と、台の底に一体形成されて凹部を開閉する舌片２２と、台の表側から貫通孔に挿通して凹部内に突出させた鼻緒６の端部を、凹部内で折り曲げた状態で凹部の底に付着固定させる第１固定シート部２５と、凹部内で折り曲げられた鼻緒の端部を、凹部を閉塞する舌片に付着固定させる第２固定シート部２６とを備えている。【選択図】図４
0003215805.tif 000002
【実用新案登録請求の範囲】
【請求項１】
履物における台の底に形成された凹部と、
上記凹部の底に開口されて上記台を上下に貫通する貫通孔と、
上記台の底に一体形成されて上記凹部を開閉する舌片と、
上記台の表側から上記貫通孔に挿通して上記凹部内に突出させた鼻緒の端部を、上記凹部内で折り曲げた状態で上記凹部の底に付着固定させる第１固定シート部と、
上記凹部内で折り曲げられた鼻緒の端部を、上記凹部を閉塞する上記舌片に付着固定させる第２固定シート部とを備えている、履物。
【請求項２】
請求項１において、
上記第１固定シート部及び第２固定シート部は、面ファスナ又は着脱可能な接着シートである、履物。
【請求項３】
請求項２において、
上記第１固定シート部は上記凹部の底に設けられた面ファスナである一方、上記第２固定シート部は上記舌片に設けられた面ファスナであり、
上記第１固定シート部及び第２固定シート部がそれぞれ上記鼻緒の端部に直接に付着係合するように構成されている、履物。
【考案の詳細な説明】
【技術分野】
【０００１】
本考案は、鼻緒を有する履物に関する。
【背景技術】
【０００２】
従来、草履やサンダル等の履物の鼻緒は、その端部が台に接着又は逢着して固定されていた。しかし、鼻緒が足に適合していない場合、足が鼻緒ずれして痛み、歩行が困難になってしまう。この問題に対し、特許文献１には、鼻緒の長さが調整可能な鼻緒係止具を用いて鼻緒の端部を台に固定することが開示されている。
【０００３】
特許文献１に記載されている鼻緒係止具は、台の底に形成された収納凹部に収納され、鼻緒の端部を保持するための保持溝が形成されたベース部と、ベース部にヒンジで連結された楔部とを備えている。そして、鼻緒の端部の芯材を楔部に巻き付けた状態で、この楔部を保持溝に嵌め込むことにより、鼻緒の端部を台に係止固定するようになっている。このような構成によると、鼻緒の端部を任意の位置で保持溝に固定できるため、台の上での鼻緒の長さを調整することが可能になる。
【先行技術文献】
【特許文献】
【０００４】
【特許文献１】実公平４−４４０８３号公報
【考案の概要】
【考案が解決しようとする課題】
【０００５】
しかし、上記特許文献１の履物では、鼻緒の長さを調整する場合、まず収納凹部から鼻緒係止具を取り出し、楔部をベース部から離脱させた上で、鼻緒の端部の芯材をベース部から解いて挟み込む位置を調整する。続いて、芯材を楔部に巻き付け直した状態で、その楔部を保持溝に嵌め込んで固定し、再び鼻緒係止具を収納凹部に収納するといった作業が必要になる。そのため、鼻緒の長さを調整するための作業が煩雑であるという問題がある。
【０００６】
本考案は、かかる点に鑑みてなされたものであり、その目的とするところは、鼻緒端部を台に確実に固定しながらも、鼻緒の長さ調整を容易に行えるようにすることにある。
【課題を解決するための手段】
【０００７】
本考案に係る履物は、履物における台の底に形成された凹部と、上記凹部の底に開口されて上記台を上下に貫通する貫通孔と、上記台の底に一体形成されて上記凹部を開閉する舌片と、上記台の表側から上記貫通孔に挿通して上記凹部内に突出させた鼻緒の端部を、上記凹部内で折り曲げた状態で上記凹部の底に付着固定させる第１固定シート部と、上記凹部内で折り曲げられた鼻緒の端部を、上記凹部を閉塞する上記舌片に付着固定させる第２固定シート部とを備えている。
上記第１固定シート部及び第２固定シート部は、面ファスナ又は着脱可能な接着シートであることが好ましい。
【０００８】
さらに、上記第１固定シート部は上記凹部の底に設けられた面ファスナである一方、上記第２固定シート部は上記舌片に設けられた面ファスナであり、上記第１固定シート部及び第２固定シート部がそれぞれ上記鼻緒の端部に直接に付着係合するように構成されていてもよい。
【考案の効果】
【０００９】
本考案によれば、台の凹部内で折り曲げた鼻緒の端部を、第１固定シート部によって凹部の底に付着固定させると共に、第２固定シート部によって凹部を閉塞する舌片に付着固定させる構成としたので、台に対して鼻緒端部を簡単に着脱させることができ、そのことにより鼻緒の長さ調整を容易に行うことができる。しかも、鼻緒端部を凹部の底と舌片とにより挟み込む形で固定するようにしたので、鼻緒端部を台に確実に固定することができる。
【図面の簡単な説明】
【００１０】
【図１】図１は、履物の外観を示す斜視図である。
【図２】図２は、台の底を示す履物の底面図である。
【図３】図３は、舌片が開いた状態の凹部を示す断面図である。
【図４】図４は、舌片が閉じた状態の凹部を示す断面図である。
【図５】図５は、舌片が開いた状態の凹部を示す断面図である。
【図６】図６は、舌片が閉じた状態の凹部を示す断面図である。
【考案を実施するための形態】
【００１１】
以下、本考案の実施形態を図面に基づいて詳細に説明する。尚、本考案は、以下の実施形態に限定されるものではない。
図１は、草履１の外観を示す斜視図である。図２は、本実施形態における台２の底を示す草履１の底面図である。図３及び図４は、舌片２２が開いた状態の凹部を示す断面図である。本実施形態では、本考案に係る履物の一例として草履１について説明する。また、本実施形態では草履１のつま先側を前側とし、踵側を後側として説明する。
【００１２】
図１に示すように、草履１は、足を乗せる本体部分である台２と、台２に取り付けられた鼻緒３とを備えている。鼻緒３は、前側に設けられた先緒４と、当該鼻緒３の後側部分である後緒６とを有している。
【００１３】
図２に示すように、台２の後側部分の底には凹部２０が形成される一方、台２の前側部分の底には凹部３０が形成されている。凹部２０，３０には鼻緒３の端部が収容される。凹部２０は、下方から見て台２の長手方向に直交する方向（つまり足幅方向）に延びる略長方形状に形成されている。一方、凹部３０は、下方から見て台２の長手方向に延びる略長方形状になっている。
【００１４】
台２の後側には、台２を上下に貫通する２つの貫通孔７が形成されている。後側の貫通孔７は、後側の凹部２０の底２０ａで開口しており、後緒６が挿入される。一方、台２の前側には、台２を上下に貫通する１つの貫通孔８が形成されている。前側の貫通孔８は、前側の凹部３０の底で開口しており、先緒４が挿入される。
【００１５】
また、台２には、台２の底に一体形成されて凹部２０又は凹部３０を開閉する舌片２２，３２が設けられている。すなわち、台２の裏面側は、柔軟性に富む合成樹脂等の底材２１の層によって構成されており、その底材２１の一部が凹部２０を閉塞する舌片２２になると共に、底材２１の他の一部が凹部３０を開閉する舌片３２になっている。
【００１６】
そして、本考案の特徴として、草履１は、凹部２０内で折り曲げられた鼻緒３の端部を台２に付着固定するための第１固定シート部２５及び第２固定シート部２６を備えている。すなわち、後側の凹部２０について、凹部２０の底２０ａには、第１固定シート部２５としての第１面ファスナ２５が貼付固定されている。また、凹部２０を開閉する舌片２２の内面には、第２固定シート部２６としての第２面ファスナ２６が貼付固定されている。第１面ファスナ２５及び第２面ファスナ２６は、いずれもＡ面である。
【００１７】
第１面ファスナ２５は、台２の表側から貫通孔７に挿通して凹部２０内に突出させた後緒６の端部を、凹部２０内で折り曲げた状態で凹部２０の底２０ａに付着固定させる。このとき、後緒６の表面はフェルト地等の起毛素材によって構成されていて面ファスナのＢ面のように機能することにより、第１面ファスナ２５が後緒６の端部に直接に付着係合するようになっている。
【００１８】
一方、第２面ファスナ２６は、凹部２０内で折り曲げられた後緒６の端部を、凹部２０を閉塞する舌片２２に付着固定させる。第２面ファスナ２６は、第１面ファスナ２５とは反対側から後緒６の端部を固定する。こうして、舌片２２が凹部２０を閉塞する動作によって、後緒６の端部は舌片２２内面の第２面ファスナ２６に付着固定されることとなる。この第２面ファスナ２６も第１面ファスナ２５と同様に、後緒６の端部に直接に付着係合する。以上のようにして、後緒６の端部は、第１面ファスナ２５及び第２面ファスナ２６を介して、凹部２０の底２０ａと舌片２２とにより挟み込まれる形で固定される。
【００１９】
次に、前側の凹部３０及び先緒４についても、上記後側の凹部２０及び後緒６と同様に、面ファスナによって固定することが可能である。すなわち、図２にも示すように、前側の凹部３０の底に第１固定シート部としての第１面ファスナ（図示省略）を貼付固定し、前側の舌片３２の内面に第２固定シート部としての第２面ファスナ３６を貼付固定しておく。
【００２０】
凹部３０の底の第１面ファスナ（図示省略）は、台２の表側から貫通孔８に挿通して凹部３０内に突出させた先緒４の端部を、凹部３０内で折り曲げた状態で凹部３０の底に付着固定させる。一方、第２面ファスナ３６は、凹部３０内で折り曲げられた先緒４の端部を、凹部３０を閉塞する舌片３２に付着固定させる。これらの第１面ファスナ及び第２面ファスナ３６も先緒４の端部に直接に付着係合する。このように、先緒４の端部は凹部３０の底と舌片３２とにより挟み込まれる形で固定される。なお、先緒４は、凹部３０の底に接着して固定することも可能である。
【００２１】
以上説明したように、本実施形態の草履１では、台２の凹部２０，３０内で折り曲げた鼻緒３の端部を、第１面ファスナ２５等によって凹部２０，３０の底に付着固定させると共に第２面ファスナ２６，３６によって舌片２２，３２に付着固定させる構成とした。
【００２２】
第１面ファスナ２５等は、図３で矢印Ａに示すように、片端から順次剥がす場合には容易に剥がすことができるが、後緒６（鼻緒３）を面ファスナ２５等に対して直角方向、すなわち図３で矢印Ｂに示すように、後緒６（鼻緒３）を台２の表側方向に引っ張った場合には容易に剥がれない。
【００２３】
したがって、鼻緒３の端部を台２に簡単に着脱させることができ、鼻緒３の端部の折り曲げ長さを適宜調整することにより、鼻緒３の長さ調整を容易に行うことができる。そして、長さ調整後の鼻緒３は、図３で矢印Ｂ方向に引っ張られても第１面ファスナ２５等及び第２面ファスナ２６，３６により強固に固定することができる。しかも、先緒４及び後緒６の端部を凹部２０，３０の底と舌片２２，３２とにより挟み込む形で固定するようにしたので、これら先緒４及び後緒６を台２に確実に固定できる。
【００２４】
なお、第１固定シート部２５等及び第２固定シート部２６，３６は、面ファスナ以外にも例えば両面粘着テープ等の着脱可能な接着シートによって構成することも可能である。このようにしても上記と同様の効果を得ることができる。
【００２５】
ここで、上述の説明では、鼻緒３の表面を起毛素材として第１面ファスナ２５等及び第２面ファスナ２６，３６を鼻緒３に直接に付着係合させるようにしたが、本考案はこれに限定されるものではない。すなわち、鼻緒３は例えば滑らかな表面を有する素材によって構成されていてもよく、この場合は、図５及び図６に示すように、凹部２０の底２０ａに設けた第１面ファスナ２５に係合可能な対となる面ファスナ２５ａを後緒６の表面に貼付固定しておけばよい。さらに、舌片２２に設けた第２面ファスナ２６に係合可能な対となる面ファスナ２６ａを後緒６の表面に貼付固定しておけばよい。このようにすれば、鼻緒３の素材にかかわらず、鼻緒３を凹部２０内で適切に固定させることができる。
【００２６】
また、上記実施形態では草履１を例に挙げて説明したが、本考案はこれに限らず鼻緒を有する例えばサンダルや下駄等の他の履物についても同様に適用することができる。
【産業上の利用可能性】
【００２７】
以上説明したように、本考案は、鼻緒を有する履物について有用である。
【符号の説明】
【００２８】
１  草履（履物）
２  台
３  鼻緒
４  先緒
６  後緒
７，８  貫通孔
２０，３０  凹部
２０ａ  凹部の底
２２，３２  舌片
２５  面ファスナ（第１固定シート部）
２６  面ファスナ（第２固定シート部）
【図１】
0003215805.tif 000003
【図２】
0003215805.tif 000004
【図３】
0003215805.tif 000005
【図４】
0003215805.tif 000006
【図５】
0003215805.tif 000007
【図６】
0003215805.tif 000008